(57)【特許請求の範囲】
【請求項１】
ゴング搭載装置（２）に固定されるゴング（３）と、前記ゴング（３）を打つハンマー(４）と、磁気的なゴング切り離し装置（２０）と、を有する打鈴機能付き時計において、
前記磁気的なゴング切り離し装置（２０）は、前記ゴング（３）と打鈴機能付き時計（１）の部品（５、６）との偶発的な接触を阻止し、
前記磁気的なゴング切り離し装置（２０）は、可動側永久磁石（２１、３１）と、前記可動側永久磁石（２１、３１）に向かい合う磁気要素（２２，２３，２４）とを有し、
前記可動側永久磁石（２１、３１）は、前記ゴング搭載装置（２）から離れた位置の前記ゴング（３）に配置され、
前記磁気要素（２２，２３，２４）は、前記ゴング（３）の近傍の時計の部品（５，６）に配置され、
前記磁気要素（２２，２３，２４）は、前記可動側永久磁石（２１、３１）の磁界の向きとは反対向きの磁界を生成する
ことを特徴とする打鈴機能付き時計。
【請求項２】
前記磁気要素は固定側永久磁石(２２、２３、２４、３２）である
ことを特徴とする請求項１記載の打鈴機能付き時計。
【請求項３】
前記磁気要素は連続電流源に接続されるコイルであり、
前記コイルは前記可動側永久磁石（２１、３１）の磁界の向きとは反対向きの磁界を生成する
ことを特徴とする請求項１記載の打鈴機能付き時計。
【請求項４】
前記打鈴機能付き時計（１）が打鈴モードにある時に、前記コイルは、前記連続的電流源から切り離されている
ことを特徴とする請求項３記載の打鈴機能付き時計。
【請求項５】
前記ゴング（３）は、前記時計のケースもしくはフレーム（６）内に配置されたムーブメント（１０）の周囲の円の一部あるいは四角形の一部であり、
前記ゴング（３）の第１端は前記ゴング搭載装置（２）に固定され、第２端は自由に動き、
前記可動側永久磁石（２１）は、前記ゴング（３）の第２端に配置される
ことを特徴とする請求項１記載の打鈴機能付き時計。
【請求項６】
前記ゴング搭載装置（２）は、プレート（５）と一体に形成され、
前記プレート（５）の上に前記ムーブメント（１０）が搭載され、
前記磁気要素は、前記プレート（５）に搭載される固定側永久磁石(２４、３２）である
ことを特徴とする請求項５記載の打鈴機能付き時計。
【請求項７】
前記固定側永久磁石（３２）は、前記ゴングの前記可動側永久磁石（３１）に対向しかつ同軸に配置された磁化リングの形態をとり、
前記可動側永久磁石（３１）の外側の磁極は、前記磁化リング（３２）の内側の磁極と同一である
ことを特徴とする請求項６記載の打鈴機能付き時計。
【請求項８】
前記ゴング（３）は、前記時計のケースもしくはフレーム（６）内に配置されたムーブメント（１０）の周囲の円の一部あるいは四角形の一部であり、
前記ゴング（３）の第１端は第１ゴング搭載装置（２）に固定され、第２端は第２ゴング搭載装置（２’）に固定され、
前記可動側永久磁石（２１）は、前記ゴング（３）の中間部分に配置される
ことを特徴とする請求項１記載の打鈴機能付き時計。
【請求項９】
前記ゴング搭載装置（２）は、プレート（５）と一体に形成され、
前記プレート（５）の上に前記ムーブメント（１０）が搭載され、
前記磁気要素は、前記プレート（５）に搭載される固定側永久磁石(２４）である
ことを特徴とする請求項８記載の打鈴機能付き時計。
【請求項１０】
複数のゴング（３）が、互いに接触せずに配置され、
各ゴングの一端は、同一のゴング搭載装置（２）又はそれぞれのゴング搭載装置（２）に固定され、
前記磁気的なゴング切り離し装置（２０）は、各前記ゴング（３）の上に、前記ゴング搭載装置から離れた位置に配置された可動側永久磁石（２１）を有し、
前記可動側永久磁石（２１）と前記磁気要素（２４）の互いに対向する磁極は同じであり、これにより反発力を生み出す
ことを特徴とする請求項１記載の打鈴機能付き時計。
【請求項１１】
前記磁気的なゴング切り離し装置（２０）は、前記時計のプレート（５）上に配置された固定側永久磁石（２４）を有し、
前記プレート（５）に、ゴング搭載装置（２）が固定され、
前記固定側永久磁石は、前記プレートに最も近い前記ゴングの前記可動側永久磁石と対向し、かつその磁極が反対である
ことを特徴とする請求項１０記載の打鈴機能付き時計。
【請求項１２】
前記可動側永久磁石（２１）は、強磁性体材料製である
ことを特徴とする請求項１記載の打鈴機能付き時計。
【請求項１３】
前記可動側永久磁石（２１）は、前記ゴングの全長に渡って形成される
ことを特徴とする請求項１２記載の打鈴機能付き時計。
【請求項１４】
複数の前記可動側永久磁石（２１、３１）が、前記ゴングに配置され、
複数の前記磁気要素は、固定側永久磁石（２４、３２）により形成され、前記ゴングに近い時計の部品（５，６）に配置され、
前記固定側永久磁石（２４、３２）は前記可動側永久磁石（２１、３１）に向かい合い、
前記固定側永久磁石（２４、３２）と前記可動側永久磁石（２１、３１）の互いに対向する磁極は同じであり、これにより反発力を生み出す
ことを特徴とする請求項１と１２のいずれかに記載の打鈴機能付き時計。
【発明の詳細な説明】
【技術分野】
【０００１】
本発明は、打鈴機能付き時計に関する。この打鈴機能付き時計は、ゴング搭載装置に取り付けられたゴングと、前記ゴングを打つハンマーとを有する。
【背景技術】
【０００２】
時計製造の分野において、従来の構造を用いて、打鈴機構例えばミニッツ・リピーター(minute repeates)を具備したムーブメントがある。この実施例においては、使用されるゴングは、金属製ワイヤーで形成される。この金属製ワイヤーは円形で、時計の文字板に平行に配置される。各ゴングの金属製ワイヤーは、ムーブメントの周囲に配置され、時計のフレームに、あるいはムーブメントの部品が搭載されるプレート上方に配置される。各ゴングの一端がプレートに固定される、例えば、はんだによりプレートと一体に形成されるが、これは全てのゴングにとって共通のものである。各ゴングの他端は、自由端となっている。
【０００３】
時計の打鈴機構は、所定の時間に駆動されるハンマーを有する。ゴングの振動（音）は、ハンマーがゴング搭載装置近傍のゴングに当たることにより生成される。各ハンマーが、ゴングの面で部分的な回転を行い、ゴングを打ち、ゴングをその面で振動させている。このゴングの振動の一部が、ゴング搭載装置によりプレートに伝わる。
【先行技術文献】
【特許文献】
【０００４】
【特許文献１】ヨーロッパ特許第１９１４６０６Ａ１号明細書
【特許文献２】ドイツ特許第４４３３８７号明細書
【特許文献３】米国特許第２０５４７６５号明細書
【０００５】
打鈴機構で使用されるゴングの形状と寸法によっては、時計が急激に動く時（衝撃を受けると)、静止モードにある近くの金属部品にゴングが偶発的に当たることがある。ゴングの全長が長くなると、例えば、時計のムーブメントの周りに複数回の巻回を含むようなカシドラル・ゴング(cathedral gong)にあっては、打鈴機構は偶発的に鳴ったり、共鳴が起きたりする問題がより頻繁に発生する。低いヤング率の材料が、このような偶発的にゴングが鳴ることの原因である。これは、打鈴機構を具備する高級時計にとっては欠点となる。
【０００６】
この種の問題に対する一つの解決方法は、特許文献１に提示されている。この特許出願公報においては、機械的なノイズ阻止装置が、打鈴機構のゴングに具備される。この打鈴機構は、２個のカシドラル・ゴングを有し、それらは１個のゴング搭載装置の端部に固定される。この機械的なノイズ阻止装置は、例えば、ゴングの複数の巻回の間に配置されるセパレーター・ピース(separator piece)であり、更には各ゴング上に規則正しく配置されているリングである。しかしこの阻止装置は、時計のケース内で、機械的阻止要素が大きくなる点で不利である。そのような機械的阻止要素は、各ゴングの近傍に配置され、各ゴングの打鈴モードにおいて、障害となることがある。さらに各ゴングのノイズ阻止装置は、打鈴機構の美観を損なう。
【０００７】
特許文献２は、アラーム付き時計の打鈴機構のロック装置を開示する。これを実現する為に、磁気要素が、磁気要素のコイルに電気が与えられた時に、ゴングから離れた巻回位置に磁気要素を保持する。コイルへの電力が中断されると、ハンマーが開放されて、ゴングを打つ。しかしこの構成は、打鈴機構が静止モードにある時には、ゴングが近くの金属製部品を打つのを阻止できない。これは欠点である。
【０００８】
打鈴機構に磁気要素を使用することは、特許文献３に開示されている。しかしこの磁気要素は、打鈴機構の速度を調整する機構の金属製ディスクと共働して用いられるだけで、ゴング切り離し手段を提供するものではない。
【発明の概要】
【発明が解決しようとする課題】
【０００９】
本発明の目的は、上記の欠点を解決することである。本発明の打鈴機能付き時計は、新たなゴング切り離し原理を用いて、時計が衝撃を受けた時に、ハンマーがゴングを偶発的に叩くリスクを最小にする。この新たなゴング切り離し機構は、容易に実現でき、打鈴モードで、ハンマーがゴングに当たり、かつ打鈴機構の美観を維持できる。
【課題を解決するための手段】
【００１０】
本発明は、請求項１に記載した特徴を有する打鈴機能付き時計である。
本発明の時計の他の実施例は、請求項２−１４に記載されている。
【００１１】
本発明の打鈴機能付き時計の利点は、時計が静止モードにある時に、ゴングが偶発的に鳴る（ハンマーがゴングを打つ）のを阻止する為に、ゴングを磁気的に切り離す点にある。時計に磁気的な（磁気を利用した）ゴング切り離し装置を具備することは、この分野では新規である。これにより、機械式時計に磁気要素を用いると、その時計の動作に問題を生じさせると従来信じられてきた偏見を、克服することができる。
【図面の簡単な説明】
【００１２】
【図１】本発明の第１実施例による磁気的なゴング切り離し装置を具備した打鈴機能付き時計の内部の上面図。
【図２ａ】本発明の第２実施例による磁気的なゴング切り離し装置を具備した打鈴機能付き時計の内部の上面図。
【図２ｂ】図２ａのＡ−Ａに沿った部分拡大断面図。
【図３】本発明の第３実施例による磁気的なゴング切り離し装置を具備した打鈴機能付き時計の内部の拡大断面図。
【発明を実施するための形態】
【００１３】
以下の説明において、従来公知の打鈴機能付き時計の部品は、簡単に記述するだけに留める。
図１は、時計内部の上面図である。同図において、打鈴機能付き時計１は、従来公知のムーブメント１０を有する。このムーブメント１０は、点線で囲った部分で示し、プレート５の上に配置される。ムーブメント１０は、一般的には、機械式ムーブメントである。プレート５は、壁６に囲まれて、前記ムーブメント１０を収納するフレームを規定する。壁６は時計の中間部品でもある。
【００１４】
打鈴機能付き時計１の打鈴機構は、ムーブメントの一部を構成する。打鈴機構は、ゴング３を有する。このゴング３は、ゴング搭載装置２にその一端で搭載される。ゴング搭載装置２は、プレート５と又はそのケースと一体に形成される。ゴング３の第１端は、ゴング搭載装置２の２つのねじ付き部品の間に、溶接あるいはロックされる。ゴング３の第２端は自由に動くことができる。ゴング搭載装置２は、プレート５の底部から突出し、ゴング３をプレート５の底部上方に保持する。ゴング３は、金属製のワイヤーで形成され、ムーブメント１０を部分的に包囲し、プレート５と時計の文字板(図示せず)と平行な面に伸びる。ゴング３の金属製ワイヤーは、切り欠いた円の一部を規定し、その切り欠いた角は、１８０度と３６０度の間で、好ましくは３３０度である。
【００１５】
打鈴機能付き時計１の打鈴機構は、ハンマー４を有する。ハンマー４は、駆動されると、ゴング３の一部特にゴング搭載装置２の近傍を打ち、アラーム時間あるいはミニッツ・リピーターを知らせる。第１実施例において、ハンマー４は、ゴング３の面に直交する軸に回転可能に搭載される。ハンマー４は、ゴング３の直交方向に沿って移動可能である。
【００１６】
本発明の磁気的なゴング切り離し装置２０は、時計が衝撃を受けた時に、ゴング近傍の時計の金属部分に、ゴング３が、偶発的に接触する（打つ）のを阻止する。この金属部分は、例えば、ムーブメントの部品、プレート５、又は時計の外部部品である。
【００１７】
磁気的なゴング切り離し装置２０は、ゴング３の第２の自由端近傍に配置された少なくとも一つの可動側永久磁石２１を有する。この可動側永久磁石２１は、ゴングに又はそこに形成されたリセスに結合される。この永久磁石２１は、ゴングの自由端にはんだ付けしてもよい。この実施例において、可動側永久磁石の磁界は、ゴングの面内を向いて、Ｓ極が時計の中心を向き、Ｎ極が時計の外側を向く。この可動側永久磁石２１は、慣性のブロックを構成し、生成された部品の密度を増加させ、ゴングの品質係数も増加させる。
【００１８】
磁気的なゴング切り離し装置２０は、更に第１磁気要素２２を含む。この第１磁気要素２２は、時計のフレーム、あるいは中間部品の壁６に配置された第１固定側永久磁石２２である。第１固定側永久磁石２２は、可動側永久磁石２１に向かい合って配置され、同一の寸法を有する。しかし第１固定側永久磁石２２の磁界（の向き）は、可動側永久磁石２１の磁界（の向き）と反対である。即ち、第１固定側永久磁石２２のＮ極は、時計の中心を向き、Ｓ極は時計の外側を向く。これにより、ゴング３は壁６から一定距離を保持する。これは可動側永久磁石２１と第１固定側永久磁石２２の反発力に起因する。
【００１９】
時計が衝撃を受け、ゴング３が壁６に近づくと、可動側永久磁石２１と第１固定側永久磁石２２の間の反発力が、局部的近似距離の４乗で大きくなる。この磁気反発力が、時計が衝撃を受けた場合、ゴング３と壁６の間が直接接触するのを阻止する。この種の永久磁石は、１ｍｍ３以下のサイズで、１２００ガウス未満の磁界を生成する。ゴング３と壁６との間の距離は、０．３ｍｍ未満である。さらに、ゴング３の横方向断面は、長方形、好ましくは直径が０．８ｍｍ未満の円板である。
【００２０】
この第１実施例によれば、本発明の磁気的なゴング切り離し装置２０は、第２磁気要素２３を有する。この第２の磁気要素２３は、ムーブメント１０の一部品に取り付けられた第２固定側永久磁石２３である。この第２固定側永久磁石２３は、可動側永久磁石２１に対向して配置され、可動側永久磁石２１と第１固定側永久磁石２２と同一サイズである。これら３個の永久磁石２１，２２，２３は、時計の中心を向いた同一ライン上に配置される。第２固定側永久磁石２３の磁界は、可動側永久磁石２１の磁界と反対である。即ち、第２固定側永久磁石２３のＮ極は時計の中心を向き、Ｓ極は時計の外側を向く。その為、ゴング３は、ムーブメント１０の近隣部品から一定の距離離れている。時計が衝撃を受け、ゴング３が第２固定側永久磁石２３を搭載する部品の方向に近づくと、可動側永久磁石２１と第２固定側永久磁石２３の反発力がより大きくなる。これにより、ムーブメントの方向へのゴングの移動が、この磁性により阻止される。
【００２１】
ゴングの全長に渡って複数個の可動側永久磁石配置し、時計内に複数の固定側永久磁石を配置し、それらをそれぞれ可動側永久磁石の１つに向けさせることも可能である。可動側永久磁石の方向と固定側永久磁石の方向は、ゴングの金属ワイヤーに沿って変更可能であるが、ゴングは、これは時計が衝撃を受けた時にでも、時計の近隣部品から所定の距離を維持するようにする必要がある。
【００２２】
各固定側磁気要素は、（電気）コイル（電磁石）でもよい。このコイルは、連続する電流源に接続され、可動側永久磁石の磁界と反対極性の磁界を生成する。各コイルは、従来の打鈴モードにおいて、連続的な電流源から切り離してもよい。
【００２３】
ゴング３を製造するのに用いられる金属材料の種類に応じて、可動側永久磁石２１は、ゴング３の一部を磁化することで、直接形成することもできる。このような材料は、強磁性体材料(鉄、ニッケル、スチール、コバルト)である。ゴングを構成する金属製ワイヤーの全長を完全に磁化してもよい。
【００２４】
図２ａ、２ｂは、ゴング３用の磁気的なゴング切り離し装置２０を具備する打鈴機能付き時計１の第２実施例を示す。図２ａは、ハンマーと、時計の壁あるいは中間部品と、ムーブメントを示していないが、これらは図２ｂには示してある。
【００２５】
図２ａにおいて、この第２実施例において、ゴング３の第１端は、プレート５と一体に形成された第１のゴング搭載装置２に固定される。ゴング３の第２端は、プレート５と一体に形成された第２のゴング搭載装置２’に固定される。各ゴング搭載装置２，２’を、時計ケースに固定してもよい。ゴングの金属製ワイヤーが、巻回を構成し、この巻回は、この実施例では、２７０度の角度まで伸びる（９０度分開いている）。
【００２６】
この構成において、本発明の磁気的なゴング切り離し装置２０は、可動側永久磁石２１を有する。この可動側永久磁石２１はゴング３の中間に配置される。可動側永久磁石２１の磁界の方向は、プレート５（紙面）に直行し、Ｓ極が時計の文字板（上方向）を向き、Ｎ極がプレートの面（下方向）を向く。磁気的なゴング切り離し装置２０は、更なる固定側永久磁石２４を有する（図２ｂ）。この固定側永久磁石２４は、プレート５内に配置され、可動側永久磁石２１に対向する。固定側永久磁石２４の磁界と可動側永久磁石２１の磁界とは反対である。即ち、固定側永久磁石２４のＳ極は、時計のケースのバックカバーの方向（下側）にあり、Ｎ極は、時計の文字板の方向（上側）にある。その結果、可動側永久磁石２１と固定側永久磁石２４との間で、反発力が生じる。
【００２７】
第１実施例と同様、ゴング３には複数個の可動側永久磁石が具備され、プレート５には複数個の固定側永久磁石が具備され、それぞれ向かい合って配置されてもよい。ゴングの金属製ワイヤーは強磁性体材料である。この状態において、ゴングの中間部分に永久磁石を形成可能である。金属製ワイヤーの全長を永久磁石化してもよい。
【００２８】
図３に示す第３実施例は、ゴング３の本発明の磁気的なゴング切り離し装置２０である。固定側永久磁石は磁化リング３２である。この磁化リング３２は、ゴング３の可動側永久磁石３１に対向し、同軸に配置される。
磁化リング３２は、プレートと時計のムーブメントの部品に取り付けられる。可動側永久磁石３１の外周の磁極は、磁化リング３２の内周の磁極と同一である。かくして時計が、あらゆる方向に衝撃を受けても、ゴング３は、磁化リング３２の内側周囲から一定距離に安定して保持される。これは可動側永久磁石３１と磁化リング３２により生成される反発力による。
【００２９】
複数個の可動側永久磁石３１をゴング３の長さ方向の複数の場所に、ゴングに同軸に配置することもできる。ゴングの磁化された金属製ワイヤーの全長を永久磁石にすることもできる。
【００３０】
ゴングの中間部品は、プレートあるいは時計の中間部品と一体に形成されたゴング搭載装置に固定してもよい。ハンマーは、時計の中間部品に搭載してもよい。ゴングに搭載された可動側永久磁石の代わりに、連続電流電源に接続され磁界を生成する電気コイルである可動側磁気要素を具備してもよい。
【００３１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３２】
１    打鈴機能付き時計
２    ゴング搭載装置
３    ゴング 
４    ハンマー 
５    プレート
６    壁
１０  ムーブメント
２０  磁気的なゴング切り離し装置
２１  可動側永久磁石 
２２  第１固定側永久磁石
２３  第２固定側永久磁石
２４  固定側永久磁石 
３１  可動側永久磁石
３２  磁化リング
【図１】
0005757827.tif 000002
【図２ａ】
0005757827.tif 000003
【図２ｂ】
0005757827.tif 000004
【図３】
0005757827.tif 000005